(57)【特許請求の範囲】
【請求項１】
上面が開口した箱体の四隅の縦フレームの上端部に透設された吊下孔と、
前記箱体の両側板の上端部に前記縦フレームの部分を残して内方へ折曲して形成された横フレームと、
前記箱体の前板及び後板の上端部に前記縦フレームの部分を残して形成された，下縁の高さが異なる欠如部と、
前記両欠如部にまたがって配設され，前後に傾斜した前後方向の板状の屋根と、
前記屋根の前端縁及び後端縁から下方へ折曲して形成され，前記前板の前方及び前記後板の後方に位置した前覆板及び後覆板と、
前記屋根の両側端縁から上方へ折曲して形成された側面縦板と、
前記横フレームの先端縁と前記屋根の側端縁との間、並びに前記横フレームの側端縁と前記前板及び後板との間に形成された排気口と、
前記両横フレーム上に設けられ，前記両排気口を覆うフィルタと、
内片が前記側面縦板の内面に当接して固着され，上片が前記フィルタを覆い，外片が前記側板の外方に位置した断面コ字形の防雨カバーと
を備えたことを特徴とする屋外用配電盤。
【発明の詳細な説明】
【０００１】
【発明の属する技術分野】
本発明は、主として吊対策と換気対策を考慮した屋外用配電盤に関する。
【０００２】
【従来の技術】
従来の屋外用配電盤を図６及び図７を参照して説明する。１は配電盤の箱体、２は箱体１の上面を覆った屋根、３は前面扉、４は前面扉３に取り付けられた小扉、５は箱体１の後板の下部の吸気側換気口に取り付けられた換気口ユニット、６は箱体１の前板の上部の排気側換気口に取り付けられた換気口ユニット、７は箱体１の側板の上部に形成されたダクト接続口であり、ダクトが接続されない時は、接続口７がカバーにより閉塞される。
【０００３】
８は円環部９と螺棒１０が一体となった吊金具であり、４個の螺棒１０が屋根２の四隅の透孔に挿通され、螺棒１０の付け根部分の円環部９が屋根２に防水用の溶接により固着され、各螺棒１０が箱体１の四隅の縦フレーム１１の横片１２の透孔に挿通され、螺棒１０に平座金１３，ばね座金１４を介してナット１５が螺合し、箱体１に屋根２と各吊金具８が取り付けられている。
【０００４】
【発明が解決しようとする課題】
従来の前記配電盤の場合、屋根２に吊金具８を固着するのに、防水用の溶接をしなければならず、作業に長時間を要する。さらに、吸気側及び排気側の換気口ユニット５，６は、構成する部品点数が多く、組立に多くの時間を要するという問題点がある。
【０００５】
本発明は、前記の点に留意し、防水用の溶接を必要とせず、組立の簡素化をはかった屋外用配電盤を提供することを目的とする。
【０００６】
【課題を解決するための手段】
前記課題を解決するために、本発明の屋外用配電盤は、上面が開口した箱体の四隅の縦フレームの上端部に透設された吊下孔と、前記箱体の両側板の上端部に前記縦フレームの部分を残して内方へ折曲して形成された横フレームと、
前記箱体の前板及び後板の上端部に前記縦フレームの部分を残して形成され，下縁の高さが異なる欠如部と、前記両欠如部にまたがって配設され，前後に傾斜した前後方向の板状の屋根と、
前記屋根の前端縁及び後端縁から下方へ折曲して形成され，前記前板の前方及び前記後板の後方に位置した前覆板及び後覆板と、前記屋根の両側端縁から上方へ折曲して形成された側面縦板と、
前記横フレームの先端縁と前記屋根の側端縁との間、並びに前記横フレームの側端縁と前記前板及び後板との間に形成された排気口と、前記両横フレーム上に設けられ，前記両排気口を覆うフィルタと、内片が前記側面縦板の内面に当接して固着され，上片が前記フィルタを覆い，外片が前記側板の外方に位置した断面コ字形の防雨カバーとを備えたものである。
【０００７】
従って、箱体の四隅の縦フレームの上端部に直接吊下孔が形成されているため、従来のような吊金具及び防水用の溶接を必要とせず、さらに、折曲により、横フレーム及び屋根に前，後覆板と側面縦板、防雨カバーを形成することができ、雨の箱体内への侵入を防ぎ、かつ、排気側の換気部は、横フレーム上にフィルタを設けるのみで形成でき、従来のような多くの部品及び長時間の組立を必要とせず、排気側の換気部の簡素化をはかることができる。
【０００８】
【発明の実施の形態】
本発明の実施の１形態を、図１ないし図５を参照して説明する。１６は上面が開口した箱体、１７は箱体１６の四隅の縦フレーム１８の上端部に透設された吊下孔、１９は箱体１６の両側板２０の上端部に縦フレーム１８の部分を残して内方へ折曲して形成された横フレーム、２１は箱体１６の前板２２ａ及び後板２２ｂの上端部に縦フレーム１８の部分を残して形成された欠如部であり、前板２２ａの欠如部２１の下縁の高さが、後板２２ｂの欠如部２１の下縁の高さより若干高くなっており、縦フレーム１８の部分を残した前板２２ａ及び後板２２ｂの上端部が、それぞれ外方へ折曲されて防雨用の前片２１ａ及び後片２１ｂが形成されている。
【０００９】
２３は両欠如部２１にまたがって配設された前後に傾斜した前後方向の板状の屋根であり、前部が後部より高くなっている。２４ａ，２４ｂは前覆板及び後覆板であり、屋根２３の前端縁及び後端縁から下方へ折曲して形成され、前板２２ａの前方及び後板２２ｂの後方に位置している。２５は側面縦板であり、屋根２３の両側端縁から上方へ折曲して形成されている。
【００１０】
２６ａ及び２６ｂは排気口であり、排気口２６ａは横フレーム１９の先端縁と屋根２３の側端縁との間に、側方から見て扁平な三角形状に形成され、排気口２６ｂは横フレーム１９の前，後の側端縁と前板２２ａ及び後板２２ｂとの間に、上方から見て四角形状に形成されている。２７は前後方向のエアフィルタであり、両横フレーム１９上に前板２２ａと後板２２ｂとの間に設けられ、排気口２６ａ，２６ｂを覆っている。
【００１１】
２８は断面コ字形の防雨カバーであり、内片２９が側面縦板２５の内面に当接し、平座金３０，ばね座金３１，ボルト３２，ナット３３からなる締結部品により固着され、上片３４がフィルタ２７を覆い、外片３５が側板２０の外方に位置し、カバー２８の前端面及び後端面に前端板２８ａ，後端板２８ｂが固着されている。
【００１２】
３６は箱体１６の前面扉、３７は前面扉３６に取り付けられた小扉、３８は前面扉３６の下部の吸気側換気口に取り付けられた換気口ユニット，３９は箱体１６の側板２０の上部に形成されたダクト接続口である。
【００１３】
前記形態の場合、箱体１６の四隅の縦フレーム１８の上端部に直接吊下孔１７が形成されているため、従来のような吊金具及び防水用の溶接を必要とせず、さらに、折曲により、横フレーム１９及び屋根２３に前，後覆板２４ａ，２４ｂと側面縦板２５、防雨カバー２８を形成することができ、雨の箱体１６内への侵入を防ぐことができ、かつ、排気側の換気部は、横フレーム１９上にフィルタ２７を設けるのみで形成でき、従来のような多くの部品及び長時間の組立を必要とせず、排気側の換気部の簡素化をはかることができる。
【００１４】
【発明の効果】
本発明は、以上説明したように構成されているので、以下に記載する効果を奏する。
上面が開口した箱体１６の四隅の縦フレーム１８の上端部に直接吊下孔１７が形成されているため、従来のような個別の吊金具及び防水用の溶接，締結部品を必要としない。さらに、折曲により、側板２０に横フレーム１９、板状の屋根２３に前，後覆板２４ａ，２４ｂと側面縦板２５、防雨カバー２８に内片２９，上片３４，外片３５をそれぞれ形成することができ、雨の箱体１６内への侵入を防ぐことがでる。かつ、排気側の換気部は、横フレーム１９上にフィルタ２７を設けるのみで形成でき、従来のような多くの部品及び長時間の組立を必要とせず、排気側の換気部の簡素化をはかることができる。
【図面の簡単な説明】
【図１】本発明の実施の１形態の一部除去した分解斜視図である。
【図２】図１の一部を除去した切断左側面図である。
【図３】図１の一部を除去した平面図である。
【図４】図１の一部の切断正面図である。
【図５】Ａ，Ｂは図１の正面図及び左側面図である。
【図６】Ａ，Ｂは従来例の正面図及び左側面図である。
【図７】Ａ，Ｂは図６の斜視図及び一部の切断正面図である。
【符号の説明】
１６  箱体
１７  吊下孔
１８  縦フレーム
１９  横フレーム
２０  側板
２１  欠如部
２２ａ  前板
２２ｂ  後板
２３  屋根
２４ａ  前覆板
２４ｂ  後覆板
２５  側面縦板
２６ａ，２６ｂ  排気口
２７  フィルタ
２８  防雨カバー
２９  内片
３４  上片
３５  外片
【図１】
0003704958.tif 000002
【図２】
0003704958.tif 000003
【図３】
0003704958.tif 000004
【図４】
0003704958.tif 000005
【図５】
0003704958.tif 000006
【図６】
0003704958.tif 000007
【図７】
0003704958.tif 000008